(57)【特許請求の範囲】
【請求項１】
前身頃と、該前身頃につながる左側後身頃および右側後身頃を含む身頃本体とを有する背開き型の滅菌ガウンであって、
前記身頃本体に形成された襟ぐり部には、有端環状の弾性体が設けられており、
前記弾性体は、非変形時においては、該滅菌ガウンの前記襟ぐり部を着用者の首部を囲う環状形状に維持可能であり、変形時には背中側が開口し前記着用者の首部が前記襟ぐり部の背中側を通過可能とし、
前記左側後身頃および前記右側後身頃のうち、着用時に外側となる方の端部に設けられた腰紐と、
前記腰紐の遠位端を着用者から離れた場所に固定するために、該腰紐に直接又は別体を介して設けられた腰紐固定手段と、
該腰紐固定手段を前記腰紐の基端又は前記腰紐から分離するための分離手段と、をさらに有し、
前記分離手段は、前記腰紐において、該分離手段の遠位端側と近位端側を把持して前記腰紐の遠位端部分を切り離し可能な位置に設けられたことを特徴とする、
滅菌ガウン。
【請求項２】
前記弾性体は、
非変形時においては、その両端が互いに周方向に重なっていることを特徴とする、
請求項１に記載の滅菌ガウン。
【請求項３】
前記弾性体は、
非変形時において、その両端が周方向に重なる際に内側になる端部における曲率半径が、その他の部分の曲率半径より小さくなるように形成されたことを特徴とする、
請求項２に記載の滅菌ガウン。
【請求項４】
胸回りから下の前記左側後身頃および前記右側後身頃の幅を合わせた寸法が、前記前身頃の身幅よりも大きい寸法となるように形成されており、
前記弾性体の非変形時において、前記左側後身頃又は前記右側後身頃のいずれか一方が他方に重なることで、背中側に所定の重なり幅を形成することを特徴とする、
請求項１から３のいずれか１項に記載の滅菌ガウン。
【請求項５】
前記腰紐に連結される腰紐ホルダをさらに有し、
該腰紐ホルダに、前記腰紐固定手段が設けられていることを特徴とする、
請求項１から４のいずれか１項に記載の滅菌ガウン。
【請求項６】
ガウン着用者が既に装着したマスクを覆う、マスクカバーをさらに有し、
該マスクカバーの内側に、該マスクカバーを前記マスクに固着する固着手段が設けられたことを特徴とする、
請求項１から５のいずれか１項に記載の滅菌ガウン。
【請求項７】
前身頃と、該前身頃につながる左側後身頃および右側後身頃を含む身頃本体とを有する背開き型の滅菌ガウンであって、
前記身頃本体に形成された襟ぐり部には、有端環状の弾性体が設けられており、
前記弾性体は、非変形時においては、該滅菌ガウンの前記襟ぐり部を着用者の首部を囲う環状形状に維持可能であり、変形時には背中側が開口し前記着用者の首部が前記襟ぐり部の背中側を通過可能とし、
ガウン着用者が既に装着したマスクを覆う、マスクカバーをさらに有し、
該マスクカバーの内側に、該マスクカバーを前記マスクに固着する固着手段が設けられ、
前記マスクカバーには、
上端部を外側に折り返して形成され、着用者が指の先端を差し入れることが可能な折り返し部がさらに設けられたことを特徴とする、滅菌ガウン。
【発明の詳細な説明】
【技術分野】
【０００１】
本発明は、滅菌ガウンに関するものである。
【背景技術】
【０００２】
手術室等の高度の清潔性が必要とされる医療現場においては、従来から滅菌処理されたガウンが用いられている。これらのガウンは着用者と接する内側が準清潔又は不潔領域、その反対の外側が清潔領域となっており、その形状として、着用者と患者等が接する前面部がシームレスに形成され、背面部が開いているものが一般的である（特許文献１など）。
【０００３】
従来、このような医療ガウンの着用に際しては、清潔性保持の観点から、介助者による着用介助が必須になっていた。即ち、着用者がガウン内側を把持してから、先ず袖を通し、その後、介助者が着用者背面の首回りの紐、腰部の内紐を結び合わせる。その後、着用者が腰紐の短尺の方を、それが留められている腰紐ホルダから抜きとった上で、腰紐の長尺の方を腰紐ホルダごと介助者に手渡す。そして、その場で着用者が反時計回りに回転して腰紐を腰に巻き付け、ホルダから腰紐の長い方を抜き取って、着用者の前面または側面で腰紐の短い方と結び合わせる、という手順が一般的である。
【０００４】
ガウンの着用介助は、例えば手術室においてはナースが行うことが多いが、着用介助はナースにとってはあくまで付随的業務に過ぎず、多忙を極める手術室においてはナースの労働動線をしばしば分断し、時には本来の業務である患者の安全確保のための諸業務をも妨げる結果となってきた。
【０００５】
また、夜間緊急時や大規模災害等、介助者による着用介助が期待できない場面も存在し、そのような場合には、適切に清潔状態を確保してガウンを着用することが難しいという問題もある。
【０００６】
この点、特許文献２などでは、背部の閉じ合わせを、面ファスナーを用いて行う使い捨て外衣が開示されている。また、特許文献３では、背部の首回り後部のみが伸縮性のある部材でつながっており、それより下方の開放部の閉じ合わせを、特殊なスライドファスナーで行う衛生衣が開示されている。
【先行技術文献】
【特許文献】
【０００７】
【特許文献１】特開平１１−３６１１４号公報
【特許文献２】特開２００２−８８５３８号公報
【特許文献３】特開２００７−３３２５１５号公報
【発明の概要】
【発明が解決しようとする課題】
【０００８】
上記特許文献２のように面ファスナーにより背部の閉じ合わせを行えば、紐を結び合わせるよりも容易にガウンを着用することが可能となる。しかしながら、着用介助なしにこれを着用しようとすれば、着用者が自身の背部で面ファスナーを留め合わせる作業を行う必要があり、その様な着用法は清潔性保持の観点からは安全とは言い難い。
【０００９】
また、上記特許文献３に記載の衛生衣は、首回り後部が伸縮部材でつながっており、衛生衣を頬被りして着用した後、身体の前方から閉じ合わせ操作を可能に工夫したスライド
ファスナーによって、背部を閉じ合わせるものであるため、着用者の背面での作業は不要になる。しかしながら、このような構成であると、頬被りして衛生衣を着用する際に着用者の手などの清潔領域が、頭部などの不潔領域に触れる危険性が比較的大きい。また、スライドファスナーがスムーズに閉じない等の不具合が生じた場合には、衛生衣の着用に時間を要するか、着用そのものが不可能になるおそれがある。
【００１０】
本発明は、上記のような問題に鑑みてなされたものであり、従来着用介助を行っていた者の負担を軽減し、かつ、着用者の負担を増大させることなく着用が可能な滅菌ガウンを提供することを目的とする。
【課題を解決するための手段】
【００１１】
前記の課題を解決するため、本発明に係る滅菌ガウンは、前身頃と、該前身頃につながる左側後身頃および右側後身頃を含む身頃本体とを有する背開き型の滅菌ガウンであって、
前記身頃本体に形成された襟ぐり部には、有端環状の弾性体が設けられており、
前記弾性体は、非変形時においては、該滅菌ガウンの前記襟ぐり部を着用者の首部を囲う環状形状に維持可能であり、変形時には背中側が開口し前記着用者の首部が前記襟ぐり部の背中側を通過可能とすることを特徴とするものとした。
【００１２】
滅菌ガウンの構成を上記のようにすることで、着用時には前記弾性体を変形させて着用者の首部を前記弾性体の環状形状の中に入れ、さらに弾性体を復元させることによって、ガウンを纏うだけでガウンの襟ぐり部が着用者の首部を囲い、その状態が維持されるようにすることができる。このため、ガウンの首回りがはだけるのを防止するために従来用いられていたような紐等の結合手段が不要となり、着用者の背面で首回りの留め合わせのために紐を結ぶ等の、従来介助者が行っていた作業を省略することができる。また、本発明においては、着用状態における姿勢に対応して適度に弾性体が変形するために、ガウン形状の自由度が増加し長時間着用したとしても着用者への負担を軽減することが可能である。さらに、ガウンの襟ぐり部と着用者の首部及び肩との間に適度な隙間を形成することが可能となり、通気性を向上させることが可能である。
【００１３】
ここで、前記弾性体は、前記環状形状を記憶させたワイヤであっても良いし、直線形状と捲線形状に可逆変形可能な板バネであっても良い。さらに、前記ワイヤは、金属製、例えばステンレス製であっても良いし、樹脂製であっても良い。また、前記弾性体を襟ぐり部に固定する方法としては、例えば、前記襟ぐり部にパイピング加工を施し、該パイピング部に弾性体を封入するようにしても良いし、襟ぐり部周囲の内側或いは外側に弾性体を縫い付けたり接着することで固定しても良い。
【００１４】
また、前記弾性体は、非変形時においては、その両端が互いに周方向に重なっているようにしても良い。弾性体形状をこのようにすることで、隙間を生ずることなく襟ぐり部の閉じ合わせを行うことができ、ガウンの着用時の清潔性、安全性をより高めることができる。
【００１５】
前記弾性体は、非変形時において、その両端が周方向に重なる際に内側になる端部における曲率半径が、その他の部分の曲率半径より小さくなるように形成されてもよい。弾性体の形状をこのようにすることで、非変形時において、その両端が周方向に重なる際に内側になる側の端部は、外側になる側の端部に対して、より環状の内側に配置されるようになる。そうすれば、前記弾性体を広げて変形させた後に形状を復元する際に、互いに重なる端部の内側と外側が逆になったり、互いに衝突して復元を妨げたりすることを防止できる。
【００１６】
さらに、上記の滅菌ガウンは、胸回りから下の前記左側後身頃および前記右側後身頃の幅を合わせた寸法が、前記前身頃の身幅よりも大きい寸法となるように形成されており、前記弾性体の非変形時において、前記左側後身頃又は前記右側後身頃のいずれか一方が他方に重なることで、背中側に所定の重なり幅を形成するものであっても良い。
【００１７】
上記のような構成とすることで、前身頃の幅よりも大きい寸法に形成された後身頃が、襟ぐり部の弾性体によって所定の幅重なった状態で維持されることになる。このため、ガウンの背中側の合わせを維持するために腰部の内紐等の結合手段を用いることなく、着用者の背面におけるガウンの閉じ合わせが可能となる。その結果、従来着用介助者が行っていた、着用者の背面で腰部の留め合わせを行うという動作も無くすことができる。
【００１８】
また、上述までの滅菌ガウンは、前記左側後身頃および前記右側後身頃のうち、着用時に外側となる方の端部に設けられた腰紐と、前記腰紐の遠位端を着用者から離れた場所に固定するために、該腰紐に直接又は別体を介して設けられた腰紐固定手段と、該腰紐固定手段を前記腰紐の基端又は前記腰紐から分離するための分離手段と、をさらに有しても良い。なお、本明細書において、腰紐の遠位端とは、ガウンに連結されているのとは反対側の端をいう。
【００１９】
ここで、前記腰紐は、前身頃と後身頃にそれぞれ紐が設けられるものであっても良いし、前身頃又は後身頃に長尺の紐が一つだけ設けられているものであっても良い。
【００２０】
また、前記腰紐固定手段は、例えば前記腰紐の遠位端近傍に備えられた両面テープであっても良いし、前記腰紐の遠位端を、何かに引っ掛け得るように円環状にしたものであっても良い。また、これらを備えた別体を前記腰紐に結合させたものであっても良い。
【００２１】
さらに、ここでいう分離手段とは、例えば前記腰紐の遠位端から所定の位置に設けられるミシン目のようなパーフォレーションであっても良いし、切れ込みであっても良い。また、前記腰紐固定手段が前記腰紐に結合された別体である場合には、これを容易に剥離できるようにした結合手段、例えば面ファスナーなどであっても良い。
【００２２】
前記の腰紐固定手段により、腰紐の遠位端を任意の場所、例えば手術室の器械台等に留めると、腰紐を張り渡した状態にすることができる。そうすれば、着用者がその場で回転して腰紐を身体に巻き付け、任意の場所で結び合わせることが可能となる。そして、当該作業のために腰紐の遠位端近傍を不潔領域に接触させたとしても、前記分離手段によって腰紐の遠位端部分を分離してから腰紐を結べば、着用者の手や、ガウンのその他の部分が汚染されることはない。
【００２３】
これによって、腰紐を着用者から受け取って保持し、更にそれを着用者に手渡すという、介助者が従来行っていた動作を無くすことができ、介助を要することなく着用者一人でも腰紐を結ぶことが可能となる。
【００２４】
また、上記の滅菌ガウンは、前記腰紐に連結される腰紐ホルダをさらに有し、該腰紐ホルダに、前記腰紐固定手段が設けられている構成としても良い。
【００２５】
このように、前記腰紐固定手段を前記腰紐ホルダに設けることによって、着用者の手が不潔領域に触れてしまう危険性を低くすることができる。
【００２６】
即ち、腰紐の遠位端を任意の場所に留める作業を行う際に、腰紐自体を直接把持して行うよりも、腰紐が保持された腰紐ホルダを把持して、例えばこれに備えられた両面テープを器械台等に貼着する等した方が、より着用者の手が不潔領域に触れにくくすることがで
きる。
【００２７】
さらに、上述までの滅菌ガウンは、ガウン着用者が既に装着したマスクを覆う、マスクカバーをさらに有し、該マスクカバーの内側に、該マスクカバーを前記マスクに固着する固着手段が設けられた構成としても良い。
【００２８】
ここで、固着手段とは、例えば面ファスナーであっても良いし、両面テープであっても良い。
【００２９】
従来、ガウンにマスクカバーが設けられている場合は、介助者が着用者の背面で該マスクカバーを固定するための紐を結んでいたが、マスクカバーの構成を上記のようにすることによって、従来介助者が行っていた作業を無くすことができる。
【００３０】
即ち、着用者は清潔領域である前記マスクカバーの外側から固着手段のある部位を押さえつけることで、前記マスクカバーを既に装着しているマスクの上に固着することが可能となる。これによって、介助を要することなくマスクカバーの装着を行うことが可能になる。
【００３１】
また、上記のマスクカバーには、上端部を外側に折り返して形成され、着用者が指の先端を差し入れることが可能な折り返し部がさらに設けられていても良い。
【００３２】
これによれば、前記のマスクカバーの固着動作を行う際に、着用者は指を前記折り返し部の中に入れておくことで、誤って自身の顔面、即ち不潔領域に触れることを防止することができる。
【発明の効果】
【００３３】
本発明によれば、着用介助者の負担を軽減し、かつ着用者の負担を増大させることなく、着用が可能な滅菌ガウンを提供することができる。
【図面の簡単な説明】
【００３４】
【図１】本発明の実施例１に係る滅菌ガウン表す全体図である。
【図２】本発明の実施例１に係る滅菌ガウンの着用時の襟ぐり部を表す第１の図である。
【図３】本発明の実施例１に係る環状バネを表す図である。
【図４】本発明の実施例１に係る滅菌ガウンの着用時の襟ぐり部を表す第２の図である。
【図５】本発明の実施例１に係る滅菌ガウンの腰紐ホルダの表側を表す図である。
【図６】本発明の実施例１に係る滅菌ガウンの腰紐ホルダの裏側を表す図である。
【図７】本発明の実施例１に係る滅菌ガウンにおいて、環状バネが変形した場合を表す全体図である。
【図８】本発明の実施例１に係る滅菌ガウンにおいて、腰紐固定手段を用いて腰紐を結ぶ方法を表す図である。
【図９】本発明の実施例１に係る滅菌ガウンの着用状態を表す正面図である。
【図１０】本発明の実施例１に係る滅菌ガウンの着用状態を表す背面図である。
【図１１】本発明の実施例２に係る滅菌ガウンのマスクカバー内側を表す図である。
【図１２】本発明の実施例２に係る滅菌ガウンのマスクカバーの着用状態における外側を表す図である。
【図１３】本発明の実施例２に係る滅菌ガウンのマスクカバーの折り返し部の使用方法を表す図である。
【発明を実施するための形態】
【００３５】
以下、本発明の具体的な実施形態について図面に基づいて説明する。以下の実施形態に記載されている構成要素の寸法、材質、形状、その相対配置等は、特に記載がない限りは発明の技術的範囲をそれらのみに限定する趣旨のものではない。
【００３６】
＜実施例１＞
＜構成＞
まず、本実施例に係る滅菌ガウン１の構成を説明する。図１は、本実施例に係る滅菌ガウン１の構成を示す全体図である。但し、後述する環状バネ３２が襟ぐり部３１に封入される前の状態を示している。図１に示すように、滅菌ガウン１は、前身頃１１と前身頃１１からつながる右側後身頃１２ａ及び左側後身頃１２ｂが一体に形成された身頃本体１３と、身頃本体１３に接合された袖部１４ａ、１４ｂを有する、背開き型のガウンである。
【００３７】
本実施例に係る滅菌ガウン１の布地には、撥水処理を施した不織布が用いられており、身頃本体１３と袖部１４ａ、１４ｂは超音波接着により接合されている。ただし、布地素材は不織布に限られるわけではなく、本体部と袖部の接合方法も超音波接着に限られない。
【００３８】
前身頃１１には前側腰紐２１（例えば長さ４００ｍｍ）が、右側後身頃１２ａには後側腰紐２２（例えば長さ１０００ｍｍ）がそれぞれ超音波接着されており、これらの遠位端は腰紐ホルダ２３によって纏めて保持されている。また、袖部１４ａ、１４ｂのそれぞれの袖口１５ａ、１５ｂはリブ編みで伸縮自在となっている。さらに、滅菌ガウン１の襟ぐり部３１はパイピング加工されており、図２に示すように、その内部には樹脂製の環状バネ３２（例えば、幅１５ｍｍ）が、襟ぐり部の略全周囲に亘って、平面視で環状（例えば、直径１６０ｍｍ）の形状を有する状態で封入される。
【００３９】
図３には、環状バネ３２の図を示す。環状バネ３２は、図３（ａ）に示すように、平線バネをその両端が重なるように環状に整形したものであり、直径を増加させる方向に変形させることで、図３（ｂ）に示すように、重なった両端を離間させ、環状の形状に開口を形成することが可能となっている。なお、図３（ａ）に示すように、環状バネ３２は、重なった両端のうち内側になる方の端部の曲率半径Ｒ１が、他の部分の曲率半径Ｒ２より小さくなるように形成されている。
【００４０】
環状バネ３２の形状をこのようにすることで、非変形時において、その両端が周方向に重なる際に内側になる側の端部は、外側になる側の端部に対して、より環状バネ３２の内側に配置されるようになる。そうすれば、環状バネ３２を広げて変形させて開口を形成させた後に復元する際に、互いに重なる端部の内側と外側が逆になったり、互いに衝突して復元を妨げたりすることを防止できる。なお、環状バネ３２の素材としては、ポリ塩化ビニル（ＰＶＣ）、ポリプロピレン（ＰＰ）、ポリエステル（ＰＥＴ）、ポリアセタール（ＰＯＭ）などが挙げられる。
【００４１】
図４には滅菌ガウン１の着用状態における襟ぐり部３１及び身頃本体１３の背面図を示す。図２及び図４から分かるように、環状バネ３２が封入されている滅菌ガウン１の襟ぐり部３１は、パイピング部分に環状バネ３２の幅以上の立ち上がり幅（例えば１８ｍｍ）を有する。また、襟ぐり部３１の長さ（右側後身頃１２ａ側の端から左側後身頃１２ｂ側の端までの寸法）は、襟ぐり部３１の円周の長さ（ここでは、略５００ｍｍ）よりも長く設けられており（例えば６５０ｍｍ）、襟ぐり部３１の両端も平面視で１５０ｍｍ程度重なった状態となっている。
【００４２】
そして、襟ぐり部３１よりも下側の部分において、身頃本体１３の右側後身頃１２ａの
幅と左側後身頃１２ｂの幅を足した寸法は、前身頃１１に対して余分な長さ（ここでは、略１５０ｍｍ）を有するように形成されている。これにより、滅菌ガウン１は、着用状態において右側後身頃１２ａと左側後身頃１２ｂとが重なり幅３４の分だけ重なるようになっている。
【００４３】
図５及び図６には腰紐の先端部と腰紐ホルダの詳細について示す。図５に示すように、右側後身頃１２ａに接合された後側腰紐２２と、前身頃１１に接合された前側腰紐２１が、それぞれ腰紐ホルダ２３に結合されている。より具体的には、後側腰紐２２が腰紐ホルダ２３の第１穴２３ａと第２穴２３ｂとを貫通した後に折り返して、第２穴２３ｂ及び第１穴２３ａをさらに貫通しており、第２穴を出たところでループ２２ａを形成している。そして、前側腰紐２１は、上記ループ２２ａを貫通した状態で折り畳まれ、ループ２２ａにおいて後側腰紐２２によって締め付けられて固定されている。そして、後側腰紐２２には、腰紐ホルダ側の端から所定の距離（例えば、３６０ｍｍ）の位置に、分離手段としてのミシン目２４が設けられている。
【００４４】
さらに、図６に示すように、腰紐ホルダ２３には、後側腰紐２２のループ２２ａが設けられているのと反対の面かつ、腰紐が結合している部分から離れた位置に、両面テープ２５が貼りつけられている。そして、該両面テープのリケイ紙のサイズが、両面テープのそれよりも大きくなっている（例えば、両面テープが１０ｍｍ×２０ｍｍ、リケイ紙が１０ｍｍ×３０ｍｍ）。ここで、両面テープ２５は本実施例における腰紐固定手段に相当する。
【００４５】
＜使用方法＞
続いて、本実施形態に係る滅菌ガウン１の使用方法を説明する。着用者は、まず内側が着用者に向けて置かれている滅菌ガウン１の肩付近又は袖の任意の場所の内側を掴み、両腕を左右に広げ、環状になっている襟ぐり部３１を、把持した部位の生地越しに押し広げる。そうすると、図７に示すように、環状バネ３２が変形して環状バネ３２の両端が離間することで、襟ぐり部３１の背中側に開口部３１ａが形成される。着用者はこの開口部３１ａから襟ぐり部３１の内側に首部を差し入れ、さらに、左右に広げていた両腕を寄せ、あるいはガウンの内側から手を離すことで、襟ぐり部３１の開口部３１ａを閉じ、環状バネ３２及び襟ぐり部３１の環状の形状を復元させる。この動作により、着用者は容易に首部を襟ぐり部３１に通すことが可能である。
【００４６】
これによって、着用者の背面で留め合わせの作業を行うことなく、滅菌ガウン１の首回りがはだけることを防止できる。そして、首回りから下の背面についても、右側後身頃１２ａが左側後身頃１２ｂの外側に自動的に重なった状態となるため、腰部の内紐等を用いなくともの後身頃の一応の閉じ合わせが可能となる。その後、着用者は両腕をそれぞれガウンの内側を這わせるようにして袖に通し、両手が袖口１５ａ、１５ｂから出た状態にする。以上でひとまず着用者は身体に滅菌ガウン１を纏った状態となる。なお、上記において最初に着用者が掴むべき場所を指定するマーキングをガウンの外表面に施しておいてもよい。これにより、着用者が最初にどの部分を掴むかについて迷う事を防止でき、効果的に襟ぐり部３１を変形させることができる。
【００４７】
次に、滅菌ガウン１の左右後身頃１２ａ、１２ｂがはだけてくる等の着くずれを防止するために、腰紐２１、２２を用いて滅菌ガウン１の留め合わせを行う。
【００４８】
着用者は、滅菌ガウン１の身体の前側に位置する腰紐ホルダ２３を把持し、第２穴２３ｂにおいて形成されている後側腰紐２２のループ２２ａから前側腰紐２１を引き抜く。これによって、腰紐ホルダ２３は、これに結合されている後側腰紐２２の長さの範囲内で自由に移動させることが可能となる。そして、腰紐ホルダ２３の裏面に設けられている両面
テープ２５からリケイ紙を剥離し、図８の左図に示すように、ある程度の高さがある任意の場所（例えば器械台）に、両面テープ２５を用いて腰紐ホルダ２３を貼着する。
【００４９】
こうすることで、後側腰紐２２が床に触れないように張り渡した状態にすることができ、腰紐ホルダ２３を着用者から受け取って把持しておくという、従来介助者が行っていた動作が不要になる。
【００５０】
その後、図８の中央図に示すように、着用者はその場で反時計回りに回転し、腰回りに後側腰紐２２を巻き付ける。そして、巻き付けた状態を維持しつつ、図８の右図に示すように腰紐ホルダ２３に結合されている後側腰紐２２の遠位端部分をミシン目２４で切り離し、着用者の前面又は側面で後側腰紐２２と前側腰紐２１を結び合わせる。これにより、滅菌ガウン１の着用が完了する。着用後のガウンの正面視を図９に示す。また、背面視を図１０に示す。
【００５１】
なお、上記実施例に示す滅菌ガウン１では、襟ぐり部３１に封入する環状バネ３２は、樹脂により形成されていたが、これに替えて、ステンレスや他の金属により形成された環状バネ３２を用いてもよい。樹脂により形成された環状バネ３２を用いた場合には、軽量化を図ることができる他、滅菌ガウン１から金属製の部材を無くすことができ、ガウン使用後の廃棄処理の際に不燃物の分別が不要になるという利点がある。また、金属により形成された環状バネ３２を用いた場合には、環状バネ３２自体の耐久性を向上できる等の利点がある。
【００５２】
また、環状バネ３２としては、必ずしも板状のバネを用いる必要はない。線状のバネを環状に整形することにより環状バネ３２を形成しても構わない。
【００５３】
また、上記の実施例においては、腰紐が前身頃１１と右側後身頃１２ａに設けられ、後側腰紐２２を腰回りに巻き付けた後に、前側腰紐２１と後側腰紐２２を結び合わせて使用する構成となっていたが、前側腰紐２１と後側腰紐２２の少なくとも一方の所定の部分に面ファスナーが設けられており、この面ファスナーによって、前側腰紐２１と後側腰紐２２とを固定してもよい。さらには、上記実施例においては、前側腰紐２１と後側腰紐２２の２つの腰紐が設けられていたが、腰紐は後側腰紐２２の一方のみであっても良い。この場合には、後側腰紐２２の寸法を長くし（例えば１４００ｍｍ）、後側腰紐の先端を腰紐ホルダ２３に結合させる。そして、後側腰紐２２のみでも、腰回りへ腰紐を巻き付け可能とする。なお、寸法の長い前側腰紐２１が腰紐ホルダ２３とともに接地するのを防止するため、前側腰紐２１自体を束ねて紙テープなどで纏められていてもよい。
【００５４】
そして、本変形例における滅菌ガウン１を着用する際には、上記実施形態１の場合と同じ要領で、腰紐ホルダ２３を適当な場所に固定し、着用者が反時計回りに回転して後側腰紐２２を腰回りに巻きつけ、ミシン目を用いて腰紐ホルダ２３を分離する。その後、後側腰紐２２の切り離し後の遠位端を、既に腰回りに巻き付けた後側腰紐２２の任意の部分に括りつけるか、身頃本体１３に面ファスナー等で固定すれば、滅菌ガウン１の着用が完了する。
【００５５】
なお、上記の実施例においては、袖部１４ａ、１４ｂとしてはセットインスリーブタイプの袖を採用しているので、着用者の肩周りに比較的余裕を生むことができ、弾性体３２及び襟ぐり部３１に過大な負荷をかけず、着用状態において襟ぐり部３１の背中側が不用意に開いたりすることを抑制できる。しかしながら、袖部のタイプは上記に限られず、例えば、ラグランスリープタイプとしてもよい。
【００５６】
また、上記の実施例において滅菌ガウン１の各部分の寸法として記載した数値は飽くま
で一例に過ぎず、適宜変更しても良いことは言うまでもない。
【００５７】
＜実施例２＞
本発明に係る滅菌ガウン１の実施例２について、図１１から図１３に基づいて説明する。なお、本実施例に係る滅菌ガウン１は、実施例１に係る滅菌ガウン１に対し、基本的な構成は同じであり、マスクカバー４１が設けられている点において異なる。そのため、実施例１に係る滅菌ガウン１と共通する構成の詳細な説明は省略する。
【００５８】
図１１及び図１２に示すように、本実施形態に係る滅菌ガウン１には、前身頃１１の襟ぐり部３１の直下に、着用者が既に装着したマスクを覆うマスクカバー４１が設けられている。具体的には、該マスクカバー４１の下方の端が襟ぐり部３１下端において前身頃１１に接合されている。この接合方法は超音波接着によっても良いし縫合によってもよい。また、マスクカバー４１の下方の端は襟ぐり部３１自身に接合されていてもよい。なお、本明細書では、マスクカバー４１を装着した状態で着用者の頭に近い方をマスクカバー４１の上方、その反対を下方という。
【００５９】
マスクカバー４１はマスクを覆うのに必要な左右の幅（例えば、１７０ｍｍ）を有しており、幅方向の両端４２ａ、４２ｂにはゴムを用いたギャザー加工が施されている。これによって、マスクカバー４１の通常時の上下方向の寸法を伸縮可能とすることができる（例えば１６０ｍｍ〜２３０ｍｍ）。
【００６０】
また、マスクカバー４１の幅方向両端部の上方には、垂れ下っているマスクカバー４１を持ち上げるための摘み部４３ａ、４３ｂが設けられている。摘み部４３ａ、４３ｂの寸法は、着用者が指で摘むのに必要なサイズ（例えば、１０ｍｍ×５０ｍｍ）であれば足りる。
【００６１】
そして、マスクカバー４１の内側の上方には、面ファスナーのフック面からなる、固着部４４が設けられている。固着部４４をマスクカバー４１の外側から、着用済みのマスクに押しつけて固着することで、図１２に示すようにマスクカバー４１でマスク部を覆うことができる。このため、固着部４４はマスクカバー４１の左右の幅に近い幅を有する寸法（例えば、１５ｍｍ×１４０ｍｍ）であることが望ましい。
【００６２】
マスクカバー４１のこのような構造により、着用者の背面でマスクカバーを固定するための紐を結ぶという、従来介助者が行っていた作業を無くすことができる。
【００６３】
さらに、マスクカバー４１の外側の上端部には、図１２に示すように所定の幅（例えば３０ｍｍ）の折り返し部４５が設けられている。マスクカバー４１をマスクに固着する際には、図１３に示すように折り返し部４５の中に指を入れた上で、外側から固着部４４をマスクに押しつける。
【００６４】
こうすることで、マスクカバー４１をマスクに装着する際に、着用者が誤って自身の顔、即ち不潔領域に触れることを防止することができる。なお、本実施例では折り返し部４５を設けた例について説明したが、折り返し部４５は本発明に必須の構成ではなく、折り返し部４５が無い場合でも、着用者の背面でマスクカバーを固定するための紐を結ぶという従来介助者が行っていた作業を無くすことができるという、本実施例の効果を充分に奏することが可能である。
【符号の説明】
【００６５】
１・・・・滅菌ガウン
１１・・・前身頃
１２ａ・・右側後身頃
１２ｂ・・左側後身頃
１３・・・身頃本体
１４ａ・・右側袖部
１４ｂ・・左側袖部
１５ａ・・右側袖口
１５ｂ・・左側袖口
２１・・・前側腰紐
２２・・・後側腰紐
２３・・・腰紐ホルダ
２４・・・ミシン目
２５・・・両面テープ
３１・・・襟ぐり部
３２・・・板バネ
３５・・・平線ワイヤ
４１・・・マスクカバー
４４・・・固着部（面ファスナーのフック面）
４５・・・折り返し部
【図１】
0006261009.tif 000002
【図２】
0006261009.tif 000003
【図３】
0006261009.tif 000004
【図４】
0006261009.tif 000005
【図５】
0006261009.tif 000006
【図６】
0006261009.tif 000007
【図７】
0006261009.tif 000008
【図８】
0006261009.tif 000009
【図９】
0006261009.tif 000010
【図１０】
0006261009.tif 000011
【図１１】
0006261009.tif 000012
【図１２】
0006261009.tif 000013
【図１３】
0006261009.tif 000014